(57)【要約】【課題】電子ビューファインダーに接眼検知センサー、エレクトロクロミック素子、発光部を搭載し、省スペース化のために接眼検知センサーをエレクトロクロミック素子の濃度検知と兼用したい。【解決手段】撮影画像の表示部、表示部で表示される画像を視認できる接眼部、表示部からの光を接眼部へ導く光学系、撮影者の距離を検知可能で赤外発光部と受光部を有するセンサー、光の透過度を変化させる変化部、可視光を発光する発光部を備え、受光部における赤外受光量に応じて接眼検知制御を行う手段と、受光部における発光部からの可視光受光量に応じて変化部の透過度を制御する透過度制御手段を有し、センサーは赤外光の発光が撮影者側に向くように配置され、発光部は可視光の発光が変化部を通過して受光部に向くように配置され、表示部から撮影者側に向かってセンサー、変化部、発光部の順番に配置される。【選択図】図４
2019140500.tif 000002
【特許請求の範囲】
【請求項１】
撮影画像を表示する表示部と、
前記表示部によって表示される前記画像を視認できる接眼部と、
前記表示部からの光を前記接眼部へ導く光学系と、
撮影者の距離を検知可能であり、赤外発光部と受光部を有する距離検知センサーと、
光の透過度を変化させる透過度変化部と、
可視光を発光する発光部とを備える電子ビューファインダーにおいて、
前記受光部における赤外受光量に応じて接眼検知制御を行う接眼検知制御手段と、
前記受光部における前記発光部からの可視光受光量に応じて前記透過度変化部の透過度を制御する透過度制御手段とを有し、
前記距離検知センサーは赤外光の発光が撮影者側に向くように配置され、
前記発光部は可視光の発光が前記透過度変化部を通過して前記受光部に向くように配置され、
前記表示部から撮影者側に向かって前記距離検知センサー、前記透過度変化部、前記発光部の順番に配置されることを特徴とする電子ビューファインダー。
【請求項２】
前記距離検知センサーは、前記受光部の略半分が、前記透過度変化部を通過した発光部からの発光を受光するように前記透過度変化部に対向して配置され、
前記赤外発光部及び前記受光部の残りの半分が、近接時における前記赤外発光部からの反射光を前記受光部にて受光するように、撮影者側へ抜ける空間部に対向して配置されることを特徴とする請求項１に記載の電子ビューファインダー。
【請求項３】
前記距離検知センサーと前記発光部は、前記表示部からの光を前記接眼部へ導く光線の領域外に配置することを特徴とする請求項１または２に記載の電子ビューファインダー。
【請求項４】
前記表示部は矩形の形状であり、前記距離検知センサーと前記発光部は前記表示部の短辺方向に配置することを特徴とする請求項１から３のいずれかに記載の電子ビューファインダー。
【請求項５】
前記接眼検知制御手段は、前記受光部において赤外光の受光量が所定の閾値未満のときには表示部を消灯させ、赤外光の受光量が所定の閾値以上のときには表示部が点灯し発光部が発光するように制御し、
前記透過度制御手段は、赤外光の受光量が所定の閾値未満のときには透過度変化部の光の透過度を下げ、赤外光の受光量が所定の閾値以上のときには透過度変化部の光の透過度を上げるように制御することを特徴とする請求項１から４のいずれかに記載の電子ビューファインダー。
【請求項６】
前記透過度制御手段は、前記発光部からの可視光の受光量が所定の領域外となったときに、前記透過度変化部の光の透過度を調整して所定の値となるように制御することを特徴とする請求項１から５のいずれかに記載の電子ビューファインダー。
【請求項７】
前記接眼検知制御手段は、接眼状態を検知する第１の閾値と、接眼位置よりも遠い位置で前記電子ビューファインダーを視認可能な第１の閾値よりも小さい第２の閾値を有し、
赤外光の受光量が第１の閾値以上のときには表示部を点灯させ、
赤外光の受光量が第２の閾値以上第１の閾値未満のときには表示部を点灯させ、且つ前記透過度制御手段によって透過度変化部の光の透過度を下げるように制御することを特徴とする請求項１から６のいずれかに記載の電子ビューファインダー。
【請求項８】
前記透過度変化部はエレクトロクロミック素子であることを特徴とする請求項１から７のいずれかに記載の電子ビューファインダー。
【請求項９】
請求項１から８のいずれかに記載の電子ビューファインダーを有することを特徴とする撮像装置。
【発明の詳細な説明】
【技術分野】
【０００１】
本発明は、ビデオカメラまたはデジタルカメラ等の電子ビューファインダーに関するものである。
【背景技術】
【０００２】
従来、液晶パネルや有機ＥＬパネル等の表示部により表示を行う電子ビューファインダーが搭載された撮像装置が提案されている。このような撮像装置を晴天時に屋外で使用する場合、使用者が不用意に電子ビューファインダーを太陽に向けてしまうことがある。そのまま撮像装置を放置すると、電子ビューファインダーに設置したレンズ群で太陽光を表示部に集光するため、表示部が劣化を起こし、最悪の場合表示部が焼けてしまい使用不能となってしまう。
【０００３】
そこで、使用者の接眼を検知し、接眼していないときはエレクトロクロミック素子等を使用した制限部で表示部への入射光の強さを制限する技術が提案されている。或いは、測光部が周囲の明るさを測定し、その結果に応じてエレクトロクロミック素子等を使用した制限部で表示部への入射光の強さを制限する技術が提案されている。（特許文献１）
【先行技術文献】
【特許文献】
【０００４】
【特許文献１】特開２０１３−１４８７９０号公報
【発明の概要】
【発明が解決しようとする課題】
【０００５】
エレクトロクロミック素子とは電圧の印加量に応じて透過させる光の透過度を可逆的に変化させる素子であるが、経年による劣化や、個体差があることにより、同じ入力電圧に対して透過度が異なる可能性があることが知られている。そのため、エレクトロクロミック素子の濃度変化を検知し、その濃度変化結果に応じて電圧の印加量を調整して濃度を一定に保つと言った濃度フィードバック構造が必要とされている。しかし、上記の先行技術文献ではこの濃度フィードバック構造に関しては述べられていない。
【課題を解決するための手段】
【０００６】
本発明の電子ビューファインダーは、撮影画像を表示する表示部と、表示部によって表示される画像を視認できる接眼部と、表示部からの光を接眼部へ導く光学系と、撮影者の距離を検知可能であり赤外発光部と受光部を有する距離検知センサーと、光の透過度を変化させる透過度変化部と、可視光を発光する発光部とを備え、受光部における赤外受光量に応じて接眼検知制御を行う接眼検知制御手段と、受光部における発光部からの可視光受光量に応じて透過度変化部の透過度を制御する透過度制御手段とを有し、距離検知センサーは赤外光の発光が撮影者側に向くように配置され、発光部は可視光の発光が透過度変化部を通過して前記受光部に向くように配置され、表示部から撮影者側に向かって距離検知センサー、透過度変化部、発光部の順番に配置されることを特徴とする。
【発明の効果】
【０００７】
本発明によれば、電子ビューファインダーにエレクトロクロミック素子の濃度フィードバック構造を入れることにより、太陽光による電子ビューファインダーの表示部の劣化を防ぐだけでなく、使用時にはエレクトロクロミック素子の濃度変化を検知して高い透明度の維持が可能な電子ビューファインダーの提供が可能となる。また、接眼検知センサーをエレクトロクロミック素子の濃度変化検知と兼用することにより、電子ビューファインダーの小型化に貢献することができる。
【図面の簡単な説明】
【０００８】
【図１】本発明の実施形態に係る電子ビューファインダーの背面右側斜視図。
【図２】本発明の実施形態に係る電子ビューファインダーの正面左側斜視図。
【図３】本発明の実施形態に係る電子ビューファインダーの内部構造を表す断面図。
【図４】本発明の実施形態に係る電子ビューファインダーの内部構造を表す拡大断面図。
【図５】本発明の実施形態に係る電子ビューファインダーの構成を表すブロック図。
【図６】本発明の実施形態に係る電子ビューファインダーの制御方法を表すフローチャート。
【図７】本発明の実施形態に係る電子ビューファインダーの状態遷移を表す拡大断面図。
【図８】本発明の第２の実施形態に係る電子ビューファインダーの構成を表すブロック図。
【図９】本発明の第２の実施形態に係る電子ビューファインダーの制御方法を表すフローチャート。
【図１０】本発明の第３の実施形態に係る電子ビューファインダーの制御方法を表すフローチャート。
【図１１】本発明の第３の実施形態に係る電子ビューファインダーの状態遷移を表す拡大断面図。
【発明を実施するための形態】
【０００９】
以下に、本発明の実施形態を添付の図を基に詳細に説明する。
なお、本実施形態における電子ビューファインダーの説明において、図１における矢印にて示す方向を、各々±Ｘ方向・±Ｙ方向・±Ｚ方向と定める。また、図１のＸ軸プラス側から見た面を正面、正面と対向する面を背面（撮影者側）、正面から見て右側の面（Ｙ軸プラス方向）を右側面、正面から見て左側の面を左側面、正面から見て上側の面（Ｚ軸プラス方向）を上面、正面から見て下側の面を底面、と各々称する。
【００１０】
＜第１の実施の形態＞
図１から図３を用いて電子ビューファインダー１００の全体構成を説明する。図１は本発明の実施形態に係る電子ビューファインダー１００の背面構成を示す背面右側上面から見た斜視図、図２は本発明の実施形態に係る電子ビューファインダー１００の正面構成を示す正面左側底面から見た斜視図、図３は本発明の実施形態に係る電子ビューファインダー１００の内部構造を表す断面図である。
【００１１】
電子ビューファインダー１００はファインダー制御基板１に電気的に接続された矩形の表示部２を備えている。表示部２から射出された光線が鏡筒３に保持されたレンズ群４を介して拡大もしくは縮小され、撮影者の眼５に入射することで、撮影者は表示部２に表示される画像を確認することができる。鏡筒３と回動リング６はネジによって接続されており、鏡筒３にはネジのオス形状３ａ、回動リング６にはネジのメス形状６ａが加工されている。撮影者は、回動リング６を回動させることにより鏡筒３を光軸ａ方向に並進移動させ、鏡筒３に保持されたレンズ群４と表示部２間の距離を変化させることで、視度を調整することができる。なお、回動リング６の回動と、鏡筒３の並進はネジではなくカム機構によって実現してもよい。また、ガイド７は回動リング６を光軸ａ中心に回動可能に保持するものであり、回動リング６の回動量と光軸ａ方向への並進を規制する。
【００１２】
電子ビューファインダー１００の外観は、上面カバー８ａ、右面カバー８ｂおよび左面カバー８ｃの３つの外装カバー８と、化粧カバー９及びアイカップ１０によって構成される。化粧カバー９はホルダー１１に保持され、ホルダー１１は鏡筒３に固定される。つまり、撮影者が回動リング６を回動させることにより、化粧カバー９、アイカップ１０、ホルダー１１も光軸ａ方向に並進移動する。３つの外装カバー８及びファインダー制御基板１と表示部２はベース部１２に固定され、回動リング６の回転によって移動することなく、その位置が保持される。また、接続端子１３は左面カバー８ｃに固定され、ケーブルで撮像装置と電気的に接続され、撮像装置によって撮影された画像を表示部２に表示させる。
【００１３】
図３、図４を用いて接眼検知センサーの構造を説明する。図４は図３で示したＡ部の拡大断面図である。
【００１４】
接眼検知センサー１４は、間欠的に赤外光を照射する赤外光照射部１５と、赤外光領域と可視光領域の各々の波長領域に対するフォトダイオードを有する受光部１６を有する。つまり、受光部１６では赤外光と可視光を各々独立して受光検知することが可能である。接眼検知センサー１４では、赤外光照射部１５より赤外光を照射し、近接した物体から反射した赤外光を受光部１６にて受光することにより、距離の検知が可能となる。この反射した赤外光の受光量は、近接する物体への距離が近づくほど大きくなり、受光量が予め定められた所定の閾値を上回った際に所定の距離に近づいたと認識する。本発明では、図３に示したように撮影者の眼５がアイカップ１０と接する距離に近づいたときに接眼状態と判断するように閾値を定める。また、接眼検知センサー１４は受光部１６で受光可能な赤外光と可視光の測定タイミングを制御する制御ブロックを備えている。接眼検知センサー１４の各センサーにおいて、赤外光照射部１５は約±１５度の発光角、受光部１６は約±４５度の受光角をもっており、受光部１６は赤外光照射部１５よりも広い指向性をもっている。
【００１５】
接眼検知センサー１４は、赤外光の照射方向が電子ビューファインダー１００の背面側（撮影者側）へ光軸ａと平行になるように配置される。接眼検知センサー１４は赤外光照射部１５からの赤外光が撮影者に届きやすいように、レンズ群４よりも背面側に配置される。また、接眼検知センサー１４は受光部１６が赤外光照射部１５よりも光軸ａ側に位置する向きで配置される。接眼検知センサー１４が実装されているフレキシブル基板１７の接眼検知センサー実装部１７ａは光軸ａと垂直方向にホルダー１１に固定される。また、フレキシブル基板１７はファインダー制御基板１と電気的に接続される。前述した通り、ファインダー制御基板１は表示部２とも電気的に接続されているため、不図示の制御ＩＣによって、接眼を検知したときは表示部２を点灯させ、接眼を検知していないときは表示部２を消灯させる省電制御を行うことができる。本制御の詳細については後述する。
【００１６】
接眼検知センサー１４の背面側には、接眼検知センサー１４の保護及び電子ビューファインダー１００の防塵を目的とした接眼検知センサー窓部材１８が配置される。接眼検知センサー窓部材１８は赤外光照射部１５より照射された赤外光が透過し、近接物からの赤外反射光が再び透過する位置で化粧カバー９に取り付けられている。赤外光照射部１５より照射された赤外光が接眼検知センサー窓部材１８そのもので反射されて接眼を誤検知してしまうことを防ぐために、接眼検知センサー窓部材１８は赤外光を透過しやすい材料で形成される。
【００１７】
次に、図３、図４を用いてエレクトロクロミック素子の構造を説明する。
エレクトロクロミック素子１９は、電気化学的な酸化還元反応によって光の透過度が可逆的に変化する有機材料を電極層及びガラス層によって封入した素子ユニットである。エレクトロクロミック素子１９は、化粧カバー９とホルダー１１との間に位置し、ホルダー１１に固定される。エレクトロクロミック素子１９は電気接続部２０を有し、フレキシブル基板１７の接眼検知センサー実装部１７ａに実装されるコネクタ２１に接続される。つまり、エレクトロクロミック素子１９はファインダー制御基板１と電気的に接続され、不図示の制御ＩＣによってエレクトロクロミック素子１９への電圧印加量が変化させられる。
【００１８】
エレクトロクロミック素子１９の光の透過度は、電圧の印加量によって増減させることができ、電圧の印加方向によってその減少と増加の方向を逆転させることが可能である。本実施例においては、電圧を印加していないときには透過度を減少し、電圧を印加しているときには透過度を増大させる方向に電圧を印加してエレクトロクロミック素子１９の光の透過度を制御する。つまり、電子ビューファインダー１００の未使用時には、エレクトロクロミック素子１９へ電圧を印加せずにエレクトロクロミック素子１９を黒色にすることで太陽光の入射による表示部２の劣化を防ぎ、電子ビューファインダー１００の使用時には、エレクトロクロミック素子１９へ電圧を印加してエレクトロクロミック素子１９を透明にすることで表示部２の視認性を上げることが可能となる。本制御の詳細については後述する。
【００１９】
次に、図３、図４を用いてエレクトロクロミック素子の濃度フィードバック構造を説明する。
エレクトロクロミック素子１９の接眼検知センサー１４と略対向する位置には可視光を照射する発光部２２を備える。つまり、表示部２から撮影者側に向かって接眼検知センサー１４、エレクトロクロミック素子１９、発光部２２の順番に配置される。また、接眼検知センサー１４と発光部２２はエレクトロクロミック素子１９のエレクトロクロミック素子端部１９ａ側に配置される。つまり、表示部２からの光を撮影者の眼５に導く光線ｂの領域外になるように配置される。また、接眼検知センサー１４と発光部２２は矩形の表示部２の短辺方向の上方向もしくは下方向に配置する。本実施例においては、図４で示したように、表示部２の短辺方向の上方向に接眼検知センサー１４と発光部２２を配置する。このような配置とすることでデッドスペースを有効活用することができ、電子ビューファインダー１００の小型化に寄与することが可能となる。
【００２０】
発光部２２は、発光部２２からの可視光の照射方向がエレクトロクロミック素子端部１９ａを通過して接眼検知センサー１４の受光部１６にて検知できる方向に向くように配置される。発光部２２はフレキシブル基板１７の発光部実装部１７ｂに実装され、発光部実装部１７ｂは化粧カバー９に固定される。つまり、発光部２２はファインダー制御基板１と電気的に接続され、不図示の制御ＩＣによって発光部２２の照射が制御される。化粧カバー９は発光部２２からの発光が撮影者側に漏れないようにするための遮光壁２３を有し、遮光壁２３は発光部２２を囲むように配置される。発光部２２は例えばチップＬＥＤであり、指向性として約±３０度の発光角をもつため、本実施例においては発光部２２をその発光角が受光部１６の受光角と重複する範囲に収まるように光軸ａと垂直に配置しているが、受光部１６において更に受光しやすくするために、発光部２２を受光部１６に対して斜めに配置してもよい。
【００２１】
このように、発光部２２からの可視光がエレクトロクロミック素子端部１９ａを通過して受光部１６にて受光可能になるように発光部２２とエレクトロクロミック素子１９と接眼検知センサー１４を配置することで、受光部１６の受光量の変化によってエレクトロクロミック素子１９の濃度変化を検知することが可能となる。この濃度フィードバック制御の詳細については後述する。
【００２２】
最後に、図４を用いて接眼検知センサーによる接眼検知とエレクトロクロミック素子の濃度変化検知の兼用について説明する。
図４で示したように、接眼検知センサー１４は、受光部１６の略半分の受光部下側１６ａが発光部２２からの可視光が通過するエレクトロクロミック素子端部１９ａと対向し、赤外光照射部１５と受光部１６の残りの略半分の受光部上側１６ｂがエレクトロクロミック素子端部１９ａとは対向せずに撮影者側に赤外光が通過する空間部と対向するように配置される。このような配置とすることで、受光部１６の受光部下側１６ａでは発光部２２より照射されてエレクトロクロミック素子端部１９ａを通過した可視光を受光検知し、受光部上側１６ｂでは赤外光照射部１５より照射されて接眼時に反射された赤外光を受光検知することができる。
【００２３】
この構成により、接眼検知センサー１４の受光部１６を接眼検知とエレクトロクロミック素子１９の濃度変化検知で兼用することが可能となり、それぞれ個別の受光部を設ける必要がなく、電子ビューファインダー１００の小型化に寄与することが可能となる。
【００２４】
次に、図５〜図７を用いて電子ビューファインダーの接眼検知及びエレクトロクロミック素子の濃度フィードバック構造の制御方法について説明する。図５は本発明の実施形態に係る電子ビューファインダーの構成を表すブロック図である。図６は本発明の実施形態に係る電子ビューファインダーの制御方法を表すフローチャートである。図７は本発明の実施形態に係る電子ビューファインダーの状態遷移を表す拡大断面図である。
【００２５】
まず、図５を用いて本発明の実施形態に係る電子ビューファインダーの電気構成について説明する。図５に示したように、電子ビューファインダー１００は不図示の撮像装置によって撮影された画像を表示する表示装置であり、撮像装置本体からデジタル映像データの受信と駆動電圧の入力がなされる。撮像装置本体より送られたデジタル映像データは、ファインダー制御基板１のファインダー画像処理部２４で受信され、表示部２で表示するためのフォーマットに変換され、表示部２にて撮影時のスルー画及び記録画が表示される。
【００２６】
ファインダー制御基板１の赤外光照射制御部２５によって、接眼検知センサー１４の赤外光照射部１５より赤外光が間欠的に照射される。撮影者２００が電子ビューファインダー１００に接近すると、受光部１６の受光部上側１６ｂで赤外光の反射光を受光し、その結果の電気信号がファインダー制御基板１の赤外光受光処理部２６へと送られる。赤外光受光処理部２６で受信した電気信号が第１の閾値以上の場合、赤外光受光処理部２６によって撮影者２００が接眼したと判断し、ファインダー画像処理部２４を経て表示部２を消灯状態から点灯状態へと推移させる。逆に赤外光受光処理部２６で受信した電気信号が第１の閾値未満の場合、赤外光受光処理部２６によって撮影者２００が接眼していないと判断し、ファインダー画像処理部２４を経て表示部２を点灯状態から消灯状態へと推移させる。
【００２７】
ファインダー制御基板１のエレクトロクロミック素子駆動電圧制御部２７によって、エレクトロクロミック素子１９への入力電圧が制御され、エレクトロクロミック素子１９の光の透過度が可逆的に変化される。赤外光受光処理部２６によって撮影者２００が接眼していないと判断されたときは、エレクトロクロミック素子駆動電圧制御部２７から電圧の入力はせず、エレクトロクロミック素子１９の光の透過度を下げる。つまり、エレクトロクロミック素子１９の色を黒色にし、太陽光の入射による表示部２の劣化を防ぐことが可能となる。赤外光受光処理部２６によって撮影者２００が接眼したと判断されたときは、エレクトロクロミック素子駆動電圧制御部２７から所定の電圧を入力し、エレクトロクロミック素子１９の光の透過度を上げる。つまり、エレクトロクロミック素子１９の色を透明にし、表示部２を視認することが可能となる。
【００２８】
撮影者２００が接眼し、エレクトロクロミック素子１９の透過度が上がった後、ファインダー制御基板１の発光部照射制御部２８によって、発光部２２から可視光が照射される。受光部１６の受光部下側１６ａでエレクトロクロミック素子１９を通過した可視光を受光し、その結果の電気信号がファインダー制御基板１の可視光受光処理部２９へと送られる。可視光受光処理部２９で受信した電気信号が所定の領域内となった場合、可視光受光処理部２９によってエレクトロクロミック素子１９の透過度は変化していないと判断し、そのままとする。可視光受光処理部２９で受信した電気信号が所定の領域未満となった場合、可視光受光処理部２９によってエレクトロクロミック素子１９の光の透過度が下がったと判断する。その後エレクトロクロミック素子駆動電圧制御部２７によって所定の電圧よりも高い電圧を入力し、エレクトロクロミック素子１９の光の透過度を上げる。逆に、可視光受光処理部２９で受信した電気信号が所定の領域を越えた場合、可視光受光処理部２９によってエレクトロクロミック素子１９の光の透過度が上がったと判断する。その後エレクトロクロミック素子駆動電圧制御部２７によって所定の電圧よりも低い電圧を入力し、エレクトロクロミック素子１９の光の透過度を下げる。つまり、所定の入力電圧値に対してエレクトロクロミック素子１９の透過度が変化した際には、エレクトロクロミック素子駆動電圧制御部２７によって入力電圧値が調整され、エレクトロクロミック素子１９の透明度を一定に保つことが可能となる。
【００２９】
次に、図６を用いて本発明の実施形態に係る電子ビューファインダーの制御方法について説明する。図６に示したように、まずステップ１０１で撮像装置の電源がＯＮされると電子ビューファインダーの電源が入る。本実施例においては撮像装置との接続ケーブルを挿した状態で撮像装置の電源がＯＮされることにより、電子ビューファインダーの電源が入る。
【００３０】
ステップ１０２に進み、接眼検知センサー１４の赤外光照射部１５より赤外光が間欠的に照射される。その後ステップ１０３に進み、受光部上側１６ｂで受光する赤外光受光量が第１の閾値以上になったか否かを判断する。
【００３１】
ステップ１０３で赤外光受光量が第１の閾値未満となった時は、電子ビューファインダー１００の非使用状態と判断し、ステップ１０４に進み表示部２を消灯する。その後ステップ１０５に進みエレクトロクロミック素子１９への電圧印加をなくし、ステップ１０６に進む。ステップ１０６でエレクトロクロミック素子１９の透過度が下がり黒色になった状態を示したのが図７（ａ）である。ステップ１０６でエレクトロクロミック素子１９が黒色になった後、ステップ１０７へ進む。
【００３２】
ステップ１０３で赤外光受光量が第１の閾値以上となった時は、電子ビューファインダー１００に接眼している状態と判断し、ステップ１０８に進み表示部２を点灯する。その後ステップ１０９に進みエレクトロクロミック素子１９へ所定の電圧を印加し、ステップ１１０に進む。ステップ１１０でエレクトロクロミック素子１９の透過度が上がり透明になった状態を示したのが図７（ｂ）である。ステップ１１０でエレクトロクロミック素子１９が透明になった後、ステップ１１１で発光部２２より可視光を照射させてエレクトロクロミック素子１９の濃度フィードバック制御を開始する。
【００３３】
その後ステップ１１２に進み、受光部下側１６ａで受光する可視光受光量が所定の領域内か否かを判断する。ステップ１１２で可視光受光量が所定の領域内となった時は、エレクトロクロミック素子１９の透明度が高いままと判断し、ステップ１０７に進む。
【００３４】
ステップ１１２で可視光受光量が所定の領域よりも小さくなった時は、エレクトロクロミック素子１９の透明度が下がったと判断する。この状態を示したのが図７（ｃ）である。ステップ１１２でエレクトロクロミック素子１９の透明度が下がったと判断した時はステップ１１３に進みエレクトロクロミック素子１９へ所定よりも高い電圧を印加し、ステップ１１４に進む。ステップ１１４でエレクトロクロミック素子１９が再び透明になった状態を示したのが図７（ｄ）である。その後、ステップ１０７に進む。
【００３５】
ステップ１１２で可視光受光量が所定の領域よりも大きくなった時は、エレクトロクロミック素子１９の透明度が上がりすぎ、撮影者にとって眩しすぎる状態と判断する。その後ステップ１１５に進みエレクトロクロミック素子１９へ所定よりも低い電圧を印加し、ステップ１１６に進む。ステップ１１６でエレクトロクロミック素子１９が再び透明になった後、ステップ１０７に進む。
【００３６】
ステップ１０７で電源がＯＦＦされたかを判断し、ＯＦＦされない場合はステップ１０３に戻り、同様の処理を続ける。ステップ１０７で電源がＯＦＦされると、ステップ１１７に進み表示部２を消灯する。その後、ステップ１１８に進みエレクトロクロミック素子１９への電圧印加をなくし、その後ステップ１１９にてエレクトロクロミック素子１９の色が黒色になり、終了処理をする。つまり、電源ＯＦＦの未使用時においても表示部２の劣化を防ぐことが可能となる。
【００３７】
以上説明したように、接眼検知の結果に応じてエレクトロクロミック素子１９の濃度を透明と黒色で切り替えることができるために、電子ビューファインダー１００未使用時の太陽光による表示部の劣化を防ぐことが可能となる。また、濃度フィードバック制御によってエレクトロクロミック素子１９の濃度変化を検知しその結果を反映して一定の透明度を維持することで、使用時にはエレクトロクロミック素子１９の透明度の維持が可能な電子ビューファインダー１００の提供が可能となる。そして、電子ビューファインダー１００内の構造として、電子ビューファインダー１００の表示部２側から接眼検知センサー１４、エレクトロクロミック素子１９、発光部２２の順番に配置し、且つ受光部下側１６ａが可視光の通過するエレクトロクロミック素子１９のエレクトロクロミック素子端部１９ａと対向し、赤外光照射部１５と受光部上側１６ｂが赤外光の通過する空間部と対向するように配置することにより、接眼検知センサー１４を接眼検知と濃度変化検知とで兼用することができ、電子ビューファインダー１００の小型化に寄与することが可能となる。
【００３８】
＜第２の実施の形態＞
第２の実施の形態について説明する。第２の実施の形態は接眼検知センサーの設置向き、及びエレクトロクロミック素子の構造において第１の実施の形態と異なる。第２の実施の形態において、第１の実施の形態と同様の部分については同じ符号を使用し、詳細な説明を省略する。
【００３９】
図８、図９を用いて接眼検知センサーの構造を説明する。図８は本発明の第２の実施形態に係る電子ビューファインダー１００の内部構造を表す断面図であり、図９は図８で示したＢ部の拡大断面図である。
【００４０】
接眼検知センサー３０は、間欠的に赤外光を照射する赤外光照射部３１と、赤外光と可視光を各々独立して受光検知が可能な受光部３２を有する。接眼検知センサー３０は、赤外光の照射方向が電子ビューファインダー１００の背面側（撮影者側）へ光軸ａと平行になるように配置される。接眼検知センサー３０が実装されているフレキシブル基板３３の接眼検知センサー実装部３３ａは光軸ａと垂直方向にホルダー３４に固定される。第１の実施の形態との差異として、接眼検知センサー３０は赤外光照射部３１が受光部３２よりも光軸ａ側に位置する向きで接眼検知センサー実装部３３ａに実装される。接眼検知センサー３０による表示部２の省電制御は、第１の実施の形態と同様であるため、説明を省略する。
【００４１】
接眼検知センサー３０の背面側には、接眼検知センサー窓部材３５が設置されている。接眼検知センサー３０は赤外光照射部３１より照射された赤外光が透過し、近接物からの赤外反射光が再び透過する位置で化粧カバー３７に取り付けられている。
【００４２】
次に、図８、図９を用いてエレクトロクロミック素子の構造を説明する。
エレクトロクロミック素子３６は、ホルダー３４と化粧カバー３７との間に位置し、ホルダー３４に固定される。第１の実施の形態との差異として、エレクトロクロミック素子３６は内部に有機材料が封入されないエレクトロクロミック素子孔３６ａを有する。エレクトロクロミック素子孔３６ａは有機材料が封入されないため、電圧の印加によらず常に透明な空間部となる。なお、エレクトロクロミック素子孔３６ａは有機材料が封入されない透明のガラス部としても良い。エレクトロクロミック素子３６は電気接続部３８を有し、フレキシブル基板３３の接眼検知センサー実装部３３ａに実装されるコネクタ３９に接続される。つまり、エレクトロクロミック素子３６はファインダー制御基板１と電気的に接続され、不図示の制御ＩＣによってエレクトロクロミック素子３６への電圧印加量が変化させられる。エレクトロクロミック素子３６の光の透過度の制御は、第１の実施の形態と同様であるため、説明を省略する。
【００４３】
次に、図８、図９を用いてエレクトロクロミック素子の濃度フィードバック構造を説明する。
エレクトロクロミック素子３６の接眼検知センサー３０と略対向する位置には可視光を照射する発光部４０を備える。つまり、表示部２から撮影者側に向かって接眼検知センサー３０、エレクトロクロミック素子３６、発光部４０の順番に配置する。また、接眼検知センサー３０と発光部４０はエレクトロクロミック素子３６のエレクトロクロミック素子端部３６ｂ側に配置される。つまり、表示部２からの光を撮影者の眼５に導く光線ｂの領域外になるように配置される。
【００４４】
発光部４０は、発光部４０からの可視光の照射方向がエレクトロクロミック素子端部３６ｂを通過して接眼検知センサー３０の受光部３２にて検知できる方向に向くように配置される。発光部４０はフレキシブル基板３３の発光部実装部３３ｂに実装され、発光部実装部３３ｂは化粧カバー３７に固定される。つまり、発光部４０はファインダー制御基板１と電気的に接続され、不図示の制御ＩＣによって発光部４０の照射が制御される。化粧カバー３７は発光部４０からの発光が撮影者側に漏れないようにするための遮光壁４１を有し、遮光壁４１は発光部４０を囲むように配置される。
【００４５】
このように、発光部４０からの可視光がエレクトロクロミック素子端部３６ｂを通過して受光部３２にて受光可能になるように発光部４０とエレクトロクロミック素子３６と接眼検知センサー３０を配置することで、受光部３２の受光量の変化によってエレクトロクロミック素子３６の濃度変化を検知することが可能となる。この濃度フィードバック制御は、第１の実施の形態と同様であるため、説明を省略する。
【００４６】
最後に、図９を用いて接眼検知センサーによる接眼検知とエレクトロクロミック素子の濃度変化検知の兼用について説明する。
図９で示したように、接眼検知センサー３０は、受光部３２の略半分の受光部上側３２ａが発光部４０からの可視光が通過するエレクトロクロミック素子端部３６ｂと対向し、赤外光照射部３１と受光部３２の残りの略半分の受光部下側３２ｂがエレクトロクロミック素子３６に形成されたエレクトロクロミック素子孔３６ａと対向するように配置される。このような配置とすることで、受光部３２の受光部上側３２ａでは発光部４０より照射されてエレクトロクロミック素子端部３６ｂを通過した可視光を受光検知し、受光部下側３２ｂでは赤外光照射部３１より照射されて接眼時に反射された赤外光を受光検知することができる。
【００４７】
この構成により、接眼検知センサー３０の受光部３２を接眼検知とエレクトロクロミック素子３６の濃度変化検知で兼用することが可能となり、それぞれ個別の受光部を設ける必要がなく、電子ビューファインダー１００の小型化に寄与することが可能となる。第２の実施の形態において、第１の実施の形態との差異は接眼検知センサーの赤外照射部と受光部が天地逆転していることと、エレクトロクロミック素子の内部に空間部を有するか否かであり、制御としては同一のため、ブロック図及びフローチャートの説明は省略する。
【００４８】
＜第３の実施の形態＞
第３の実施の形態について説明する。第３の実施の形態はエレクトロクロミック素子の光の透過度を下げる判断手段において第１の実施の形態と異なり、具体的には遠くから電子ビューファインダー１００を覗いた際にエレクトロクロミック素子１９の光の透過度を制御する構成を追加している。第３の実施の形態において、第１の実施の形態と同様の部分については同じ符号を使用し、内部構造は第１の実施の形態と同様なため説明を省略し、制御方法のみを説明する。
【００４９】
図１０は本発明の第３の実施形態に係る電子ビューファインダーの制御方法を表すフローチャートである。図１１は本発明の第３の実施形態に係る電子ビューファインダーの状態遷移を表す拡大断面図である。
【００５０】
図１０に示したように、まずステップ１０１で撮像装置の電源がＯＮされると電子ビューファインダーの電源が入る。ステップ１０２に進み、接眼検知センサー１４の赤外光照射部１５より赤外光が間欠的に照射される。その後ステップ１０３に進み、受光部上側１６ｂで受光する赤外光受光量が第１の閾値以上になったか否かを判断する。ステップ１０３で赤外光受光量が第１の閾値未満となった時、ステップ２０１に進み、赤外光受光量が第１の閾値よりも低い第２の閾値以上になったか否かを判断する。ステップ２０１で赤外光受光量が第２の閾値未満となった時は、電子ビューファインダー１００の非使用状態と判断し、ステップ１０４に進み表示部２を消灯する。その後ステップ１０５に進みエレクトロクロミック素子１９への電圧印加をなくし、ステップ１０６に進む。ステップ１０６でエレクトロクロミック素子１９が黒色になった状態を示したのが図１１（ａ）である。ステップ１０６でエレクトロクロミック素子１９が黒色になった後、ステップ１０７へ進む。
【００５１】
ステップ１０３で赤外光受光量が第１の閾値未満となり、ステップ２０１で赤外光受光量が第２の閾値以上となった時は、電子ビューファインダー１００を遠くで覗いている状態と判断し、ステップ２０２に進み表示部２を点灯する。その後ステップ２０３に進みエレクトロクロミック素子１９へ所定の電圧を印加し、ステップ２０４に進む。ステップ２０４でエレクトロクロミック素子１９の光の透過度が透明時よりも下がった状態を示したのが図１１（ｂ）である。この制御によって、撮影者が遠くから電子ビューファインダー１００を覗き込んでも表示部２が視認でき、且つ隙間から万が一太陽光が入射した際もエレクトロクロミック素子１９の光の透過度が下がっているため、表示部２の劣化を防ぐことが可能となる。ステップ２０４でエレクトロクロミック素子１９の透過度が下がった後、ステップ１０７へ進む。
【００５２】
ステップ１０３で赤外光の受光が第１の閾値以上となった時は、電子ビューファインダー１００に接眼している状態と判断し、ステップ１０８へ進み表示部２を点灯する。ステップ１０８からステップ１１９は、第１の実施の形態のステップ１０８から１１９と同様のフローのため、説明を省略する。
【００５３】
以上、本発明を図示の実施の形態によって説明したが、本発明は上記実施の形態によって限定されることなく、発明の技術的思想の範囲内において各種の変更が可能である。例えば、本実施例において電子ビューファインダーはケーブルによって撮像装置と接続される形態としたが、電子ビューファインダーは撮像装置に内蔵される形態としてもよい。
【符号の説明】
【００５４】
１  ファインダー制御基板
２  表示部
３  鏡筒
９、３７  化粧カバー
１０  アイカップ
１１、３４  ホルダー
１２  ベース部
１４、３０  接眼検知センサー
１５、３１  赤外光照射部
１６、３２  受光部
１７、３３  フレキシブル基板
１８、３５  接眼検知センサー窓部材
１９、３６  エレクトロクロミック素子
２２、４０  発光部
１００  電子ビューファインダー
【図１】
2019140500.tif 000003
【図２】
2019140500.tif 000004
【図３】
2019140500.tif 000005
【図４】
2019140500.tif 000006
【図５】
2019140500.tif 000007
【図６】
2019140500.tif 000008
【図７】
2019140500.tif 000009
【図８】
2019140500.tif 000010
【図９】
2019140500.tif 000011
【図１０】
2019140500.tif 000012
【図１１】
2019140500.tif 000013